(57)【要約】 【課題】  ディスクカートリッジにおいて、治具を用いてシャッタばねを組み込む際の組立性を向上させる。【解決手段】  円盤状のディスクを回転自在に収容するとともに記録再生ヘッドをディスクの表面にアクセスさせるための開口を有するハウジングと、開口を開閉するためのハウジングに回動可能に設けられたロータリーシャッタ１０７とを備え、ばね部材１１４が、ばね部材１１４の一端をハウジングに、他端をロータリーシャッタ１０７に夫々係止されて、ロータリーシャッタ１０７の外周壁１０８とハウジングとの間に配置されるディスクカートリッジ１００において、ハウジングの一部であって、第１係止部１２８の近傍およびばね部材１１４の組込み時における第２係止部１１６近傍の両方或いはいずれか一方に、ばね部材１１４を組み込む治具１３０のための逃げ部１２６が形成されている。【選択図】          図５
2005267711.tif 000002
【特許請求の範囲】
【請求項１】
記録媒体としての円盤状のディスクを回転自在に収容するとともにドライブ装置の記録再生ヘッドを前記ディスクの表面にアクセスさせるための開口を有するハウジングと、前記開口を開閉するための通常は、ばね部材により閉方向に付勢されるよう前記ハウジングに回動可能に設けられたロータリーシャッタとを備え、前記ばね部材が、該ばね部材の一端を前記ハウジングの第１係止部に、他端を前記ロータリーシャッタの第２係止部に夫々係止されて、前記ロータリーシャッタの外周壁と前記ハウジングとの間に配置されるディスクカートリッジにおいて、
前記ハウジングの一部であって、前記第１係止部の近傍および前記ばね部材の組込み時における前記第２係止部近傍の両方或いはいずれか一方に、前記ばね部材を組み込む治具のための逃げ部が形成されていることを特徴とするディスクカートリッジ。
【請求項２】
前記ハウジングが、前記ディスクを該ディスクの両面から覆って該ディスクを収容する２つのシェル半体と、該２つのシェル半体を支持するフレームとを有し、前記逃げ部が前記フレームと前記ロータリーシャッタの前記外周壁の間に臨むように前記フレームに形成されていることを特徴とする請求項１記載のディスクカートリッジ。
【請求項３】
前記逃げ部が、切欠であることを特徴とする請求項２記載のディスクカートリッジ。
【請求項４】
前記逃げ部が、有底凹部であることを特徴とする請求項２記載のディスクカートリッジ。
【請求項５】
前記第１係止部が前記フレームの前記有底凹部に突設された柱状部であり、該柱状部の先端が前記フレームの主面から上方に突出していることを特徴とする請求項４記載のディスクカートリッジ。
【請求項６】
前記逃げ部が前記シェル半体により覆われていることを特徴とする請求項２から５いずれか１項記載のディスクカートリッジ。
【発明の詳細な説明】
【技術分野】
【０００１】
本発明は、例えば、デジタルカメラ等のモバイル機器に使用されるディスクカートリッジに関し、特に、ディスクカートリッジのロータリーシャッタを閉方向に付勢するばねを、治具を使用して組み込む形式のディスクカートリッジに関するものである。
【背景技術】
【０００２】
従来、デジタルカメラ等のモバイル機器においては、記録媒体として例えば図７、図８に示すような「ｃｌｉｋ！（登録商標）」と呼ばれる超小型の磁気ディクカートリッジが使用されている。
【０００３】
この磁気ディスクカートリッジ１について、図７（ａ）〜（ｃ）にロータリーシャッタ７が閉状態にある平面図、右側面図および底面図を、図８にその分解斜視図をそれぞれ示す。磁気ディスクカートリッジ１は、押込み部２ａを含む樹脂製のフレーム２と、金属薄板からなる上下シェル半体３，４とによって構成された、幅５０ｍｍ、奥行き５５ｍｍ、厚さ１．９５ｍｍの扁平なハウジング内に直径１．８インチ（４５．７ｍｍ）の磁気ディスク５を回転自在に収容している。
【０００４】
この磁気ディスクカートリッジ１は、図１０に示すドライブ装置２０に挿入態様で装填されるように構成され、磁気ディスクカートリッジ１のハウジングには、ドライブ装置２０が備えている磁気ヘッド（記録再生ヘッド）２７を磁気ディスク５の表面にアクセスさせるためのＶ字状の開口６と、この開口６を開閉するためのロータリーシャッタ７とが設けられている。
【０００５】
ロータリーシャッタ７は、互いに係合された上下のシャッタ部材７Ｕ、７Ｄ（図８参照）からなり、上シャッタ部材７Ｕは上シェル半体３に、下シャッタ部材７Ｄは下シェル半体４にそれぞれ回転可能に軸支されている。そして、磁気ディスク５と上下のシャッタ部材７Ｕ、７Ｄとの間には、それぞれライナー１８が介挿されている。
【０００６】
また、図７（ａ）におけるハウジングの左側面先端部には、ドライブ装置２０の係合部材２９に係合させて、ドライブ装置２０内での位置決めを確実にするためのノッチ８が形成され、右側面先端部には、ロータリーシャッタ７を閉位置にロックするためのシャッタロック部材１１を外部に臨ませる小窓９が図７（ｂ）に示すように形成されている。
【０００７】
ハウジングの下シェル半体４には、磁気ディスク５のセンタコア１０を外部に臨ませる円形の中心孔４ａと、ロータリーシャッタ７と同心的な円弧状溝４ｂとが形成され、下シャッタ部材７Ｄには、上記円弧状溝４ｂから突出しかつこの円弧状溝４ｂに沿って移動してロータリーシャッタ７を開閉するシャッタノブ７ｂが固設されている。
【０００８】
図９はフレーム２の拡大平面図であり、フレーム２にガイドワイヤ１３およびコイルばね（圧縮コイルばね）１４が取り付けられた状態を下シャッタ部材７Ｄとともに示す。上シャッタ部材７Ｕと下シャッタ部材７Ｄとからなるロータリーシャッタ７は、小径の長いコイルばね１４によって閉方向（図９の反時計方向）にばね付勢されており、このコイルばね１４の装着のためにガイドワイヤ１３がコイルばね１４内を長さ方向に貫通している。上記ガイドワイヤ１３の両端は、ロータリーシャッタ７の外周面に対向する、フレーム２の左右端の係止部２ｂ，２ｃにおいてそれぞれフレーム２に係止されている。下シャッタ部材７Ｄには、ロータリーシャッタ７の回動に伴ってガイドワイヤ１３に沿ってスライドするばね係止片７ｄが一体に突設されている。
【０００９】
コイルばね１４は、図９に示すように、ガイドワイヤ１３に沿って伸縮するようにフレーム２の係止部２ｂとロータリーシャッタ７のばね係止片７ｄとの間に縮装されて、ロータリーシャッタ７を閉方向（図９の反時計方向）にばね付勢している。この状態から、ロータリーシャッタ７が図９の時計方向に回動されると、コイルばね１４が係止部２ｂとばね係止片７ｄとの間で圧縮される。
【００１０】
図１０に示すドライブ装置２０は、幅５３ｍｍ、奥行き８５ｍｍ、厚さ５ｍｍの外寸を有するＴＹＰＥII  ＰＣカード型のドライブ装置であり、磁気ディスクカートリッジ１が挿入されるスロット２１と、磁気ディスク５のセンタコア１０を磁気吸着するスピンドル２３を備えたスピンドルモータ２２と、ヘッドアクチュエータ２４と、スイングアーム２５と、このスイングアーム２５に支持されたヘッドサスペンション２６とを備えている。ヘッドサスペンション２６の先端には、回転する磁気ディスク５の表面にアクセスして情報の記録再生を行なう磁気ヘッド２７が設けられている。
【００１１】
さらにドライブ装置２０には、磁気ディスクカートリッジ１のノッチ８に係合する前述の係合部材２９を備えたプッシュ・プッシュ式のカートリッジ係止・エジェクト機構２８と、このドライブ装置２０が装填されるデジタルカメラ、パソコン等の電子機器に対する入出力インターフェース３０とを備えている。
【００１２】
ドライブ装置２０のスロット２１の奥の右側には、磁気ディスクカートリッジ１の挿入方向と直交するように左右方向に延びるシャッタノブ係止壁３１がシャッタ開放手段として形成されているとともに、閉位置にロックされたロータリーシャッタ７のロック状態を磁気ディスクカートリッジ１の挿入時に解除するロック解除部材１９が設けられている。
【００１３】
そして、磁気ディスクカートリッジ１がドライブ装置２０に挿入されると、先ずロック解除部材１９がシャッタロック部材１１を押圧してロータリーシャッタ７のロック状態を解除し、その状態でシャッタノブ７ｂがドライブ装置のシャッタノブ係止壁３１に係合するから、磁気ディスクカートリッジ１の押し込みに伴ってシャッタノブ７ｂがシャッタノブ係止壁３１に沿ってスライドする態様でロータリーシャッタ７がコイルばね１４を圧縮しながら回動されて、開放され、同時に磁気ディスクカートリッジ１のノッチ８にドライブ装置２０の係合部材２９が係合することにより、磁気ディスクカートリッジ１は，図９に示すように、コイルばね１４が圧縮された状態のままでドライブ装置内の所定位置にロードされる。
【００１４】
一方、磁気ディスクカートリッジ１のエジェクト時には、押込み部２ａを押圧することにより、カートリッジ係止・エジェクト機構２８が磁気ディスクカートリッジ１を押し出すとともに、磁気ディスクカートリッジ１の引き出しに伴って、ロータリーシャッタ７はコイルばね１４の付勢力により、図７（ａ）、（ｃ）および図９に示す位置まで回動されて、シャッタロック部材１１によりロックされるように構成されている。
【００１５】
フレーム２におけるガイドワイヤ１３の両端を係止する係止部２ｂ，２ｃには、ガイドワイヤ１３の両端部が圧入係止される溝Ｇが形成されており、ガイドワイヤ１３の両端には、溝Ｇからの抜出しを防止する膨大部１３ａ，１３ｂがガイドワイヤ１３を潰すことによって形成されているが、これら膨大部１３ａ，１３ｂは、コイルばね１４内へのガイドワイヤ１３の挿入が許容される大きさを有する。
【００１６】
上記ガイドワイヤ１３の一端を係止するためにフレーム２に設けられる一方の係止部２ｂには、コイルばね１４の一端を係止する係止壁２ｄが形成され、ガイドワイヤ１３の他端を係止する他方の係止部２ｃには、ロータリーシャッタ７のばね係止片７ｄを係止する係止壁２ｅが形成されている。
【発明の開示】
【発明が解決しようとする課題】
【００１７】
ところで、上述した従来の磁気ディスクカートリッジ１においては、図７乃至図９から明らかなように、ロータリーシャッタ７を閉位置に向かって付勢する手段として、ガイドワイヤ１３に沿って伸縮する小径で長いコイルばね１４が用いられ、ロータリーシャッタ７の回転に伴うロータリーシャッタの外周部の移動ストローク分に追従して動作する機構となっている。
【００１８】
このような機構は、ロータリーシャッタ７の動作を確実なものにするためには不可欠な手段であるが、このような長いコイルばね１４を磁気ディスクカートリッジ１のハウジング内に組み込むためには、先ずコイルばね１４を縮めてガイドワイヤ１３に押し込み、両手の指でコイルばね１４を縮めながらガイドワイヤ１３の両端部を持ち、ガイドワイヤ１３を湾曲させながらガイドワイヤ１３の両端部を、治具を用いて溝Ｇに圧入するという作業が必要である。しかし、溝Ｇの周囲は狭く治具を用いた、組立て作業性が極めて悪いという欠点があった。
【００１９】
本発明は、上述の事情に鑑みてなされたものであり、治具を用いたシャッタばねの組立性を向上させたディスクカートリッジを提供することを目的とするものである。
【課題を解決するための手段】
【００２０】
本発明のディスクカートリッジは、記録媒体としての円盤状のディスクを回転自在に収容するとともにドライブ装置の記録再生ヘッドをディスクの表面にアクセスさせるための開口を有するハウジングと、開口を開閉するための通常はばね部材により閉方向に付勢されるようハウジングに回動可能に設けられたロータリーシャッタとを備え、ばね部材が、このばね部材の一端をハウジングの第１係止部に、他端をロータリーシャッタの第２係止部に夫々係止されて、ロータリーシャッタの外周壁とハウジングとの間に配置されるディスクカートリッジにおいて、ハウジングの一部であって、第１係止部の近傍およびばね部材の組込み時における第２係止部近傍の両方或いはいずれか一方に、ばね部材を組み込む治具のための逃げ部が形成されていることを特徴とするものである。
【００２１】
また、ハウジングは、ディスクをこのディスクの両面から覆ってディスクを収容する２つのシェル半体とこれらの２つのシェル半体を支持するフレームとを有し、逃げ部は、フレームとロータリーシャッタの外周壁の間に臨むようにフレームに形成することができる。
【００２２】
前記逃げ部は、切欠または有底凹部であってもよい。
【００２３】
また、第１係止部はフレームの有底凹部に突設された柱状部であり、柱状部の先端がフレームの主面から上方に突出するよう構成してもよい。
【００２４】
また、逃げ部は、シェル半体により覆われることが好ましい。
【発明の効果】
【００２５】
本願第１の発明によれば、ディスクカートリッジは、記録媒体としての円盤状のディスクを回転自在に収容するハウジングと、ハウジングの開口を開閉するようハウジングに回動可能に設けられたロータリーシャッタとを備えている。そして、このハウジングの一部であって、ばね部材の一端が係止されるハウジングの第１係止部の近傍およびばね部材の他端の組込み時におけるロータリーシャッタの第２係止部近傍の両方或いはいずれか一方に、ばね部材を組み込む治具のための逃げ部が形成されている。このように逃げ部を設けたことにより、治具がハウジングと干渉することなくばね部材を容易に係止部に取り付けることができるのでシャッタばねの組立性が向上する。
【００２６】
また、ハウジングが、ディスクの両面から覆ってディスクを収容する２つのシェル半体と、これらの２つのシェル半体を支持するフレームとを有し、逃げ部が、フレームとロータリーシャッタの外周壁の間に臨むようにフレームに形成されている場合は、フレームの逃げ部があることによって、治具がフレームと干渉することなくばね部材を容易に取り付けることができるので、シャッタばねの組立性が向上する。
【００２７】
また、逃げ部が、切欠または有底凹部の場合には、切欠または有底凹部があることにより治具がフレームと干渉することなくばね部材を十分に押しこむことができるので、シャッタばねの組立性が向上する。
【００２８】
また、第１係止部がフレームの有底凹部に突設された柱状部であり、柱状部の先端がフレームの主面から上方に突出するよう構成されている場合は、シャッタばねを容易にこの柱状部に取り付けることができるので、シャッタばねの組立性が向上する。
【００２９】
さらに、逃げ部が、シェル半体により覆われている場合は、係止部の防塵効果および補強効果を得ることができる。
【発明を実施するための最良の形態】
【００３０】
以下、本発明によるディスクカートリッジの実施の形態について、添付図面を参照して詳細に説明する。なお、説明にあたり、前述の背景技術で説明したものと同じ部材については同じ参照番号を付して説明する。
【００３１】
図１および図２は、本発明の第１の実施形態によるディスクカートリッジ５０の平面図であり、図１はガイドワイヤ１３の端部をフレーム５２に取付けた状態を示し、図２は、ガイドワイヤ１３に圧縮コイルばね１４を装着した状態を示す。このディスクカートリッジ５０は、前述のディスクカートリッジ１と基本的な構成は同じなので、構成についての詳細な説明は省略する。
【００３２】
最初に図１を参照して説明する。ロータリーシャッタ５７の下シャッタ部材５７Ｄは、図１に示すロータリーシャッタ５７が閉じた位置で、フレーム５２の右端近傍にばね係止片（第２係止部）５７ｄを有する。ばね係止片５７ｄは、下シャッタ部材５７Ｄの円弧状の外周壁５８ｄに一体に突設された概ね筒状となっている。この外周壁５８ｄはロータリーシャッタ５７の外周壁５８の一部をなすものである。以下、ロータリーシャッタ５７の外周壁５８との関係で説明する。
【００３３】
フレーム５２には、外周壁５８に対して略同じ間隔で離隔した円弧状の内壁６０が形成されている。この円弧状の内壁６０とロータリーシャッタ５７の外周壁５８との間に円弧状空間６２が形成される。フレーム５２の両端には、係止部（第１係止部）５２ｂおよび５２ｃが、フレーム５２と一体に円弧状空間６２内に突設されている。各係止部５２ｂ、５２ｃには、円弧状空間６２の長手方向に沿った溝Ｇ１、Ｇ１が各々上方に開放するように形成されている。
【００３４】
係止部５２ｃ近傍には、図示しない治具の逃げ部として有底凹部６６が形成されている。この有底凹部６６は、係止部５２ｃに形成された溝Ｇ１の深さと同程度の深さに形成されている。ガイドワイヤ１３の右端部をばね係止片５７ｄに挿通して係止部５２ｃの溝Ｇ１に治具で圧入する。このとき治具の一部がフレーム５２と干渉しないようにこの有底凹部６６に位置する。この場合、治具の先端は、溝Ｇ１内に進入可能な形状が好適である。有底凹部６６は、本実施形態では円弧状空間６２に臨む三角形状をしているが、任意の形状であってもよい。また、その大きさも、治具のサイズに応じて、図１および図２に示すものより大きくしてもよいことはもちろんである。
【００３５】
次に、図２に示すように、このガイドワイヤ１３に圧縮コイルばね１４が装着される。そして、コイルばね１４が装着されたガイドワイヤ１３は、矢印６８で示す方向に撓められて、ガイドワイヤ１３の左端部が係止部５２ｂの溝Ｇ１に圧入される。この場合、ガイドワイヤ１３の左端部を圧入するときは、係止部５２ｂの近傍に下シャッタ部材５７Ｄの外周壁５８ｄがないので、治具の逃げ部は必要としない。以上の態様でコイルばね１４が円弧状空間６２内に取付けられる。
【００３６】
次に本発明の第２の実施形態について、図３から図５を参照して説明する。第２の実施形態は、圧縮コイルばねの代わりに引っ張りコイルばねを使用したものであり、図３は引っ張りコイルばねを装着していないディスクカートリッジ１００を上シャッタ部材を除いた状態で示し、図３（ａ）は平面図、図３（ｂ）は図３（ａ）の部分拡大斜視図である。図４は、引っ張りコイルばね１１４を装着した状態のディスクカートリッジ１００を示し、図４（ａ）はディスクカートリッジ１００の平面図、図４（ｂ）は引っ張りコイルばね１１４を治具１３０により係止部に取付ける状態を示す部分拡大斜視図である。図５は、図４のディスクカートリッジ１００のロータリーシャッタ１０７を開状態にしたときの平面図である。この第２の実施形態も基本的な構成は、ディスクカートリッジ１と同じであるので、構成についての詳細な説明は省略する。
【００３７】
最初に図３を参照して説明する。ロータリーシャッタ１０７を構成する下シャッタ部材１０７Ｄには、ロータリーシャッタ１０７が閉じた状態で、外周壁１０８ｄの下端近傍に位置する係止部（第２係止部）１１６が突設されている。この係止部１１６は下シャッタ部材１０７Ｄの外周壁１０８ｄから筒状に突設されており内側に円弧状空間１１２に沿う孔を有する。係止部１１６から反時計回りに離隔した位置には、後述する引っ張りコイルばね１１４（図４）の外れを防止する小片１２２が一体に突設されている。他方、フレーム１０２の右端には、円弧状空間１１２に臨む有底凹部１２６が形成されている。この有底凹部の右端且つ上端に柱状部（第１係止部）１２８が突設されている。
【００３８】
次に、この状態にある下シャッタ部材１０７Ｄに引っ張りコイルばね１１４を取付ける場合の態様について、図４（ａ）を参照して説明する。引っ張りコイルばね１１４の一端は、柱状部１２８に係止され、他端は下シャッタ部材１０７Ｄの係止部１１６に係止される。この状態では引っ張りコイルばね１１４には引っ張り方向の負荷がかかっていない。柱状部１２８に引っ張りコイルばね１１４を取付けるには、図４（ａ）に示すように、まず、引っ張りコイルばね１１４のＵ字状に形成された左端部を係止部１１６に引っ掛ける。次に、図４（ｂ）に示すように、治具１３０の先端の凸部１３０ａに引っ張りコイルばね１１４のＵ字状端部１１５を引っ掛ける。そして、柱状部１２８にＵ字状端部１１５が引っかかるように柱状部１２８の近傍に治具１３０を配置する。そのとき治具１３０の下部分が前述の有底凹部１２６により、フレーム１０２と干渉することが防止され、容易に引っ張りコイルばね１１４を柱状部１２８に組み付けることができる。この状態では引っ張りコイルばね１１４には、ロータリーシャッタ１０７を閉状態に保つ軽い負荷がかかっている。
【００３９】
このように配置された引っ張りコイルばね１１４は、ロータリーシャッタ１０７が開方向即ち図５において矢印１３２で示すように時計回りに回動すると、引っ張りコイルばね１１４が円弧状空間１１２に沿って伸張状態となり、ロータリーシャッタ１０７を閉方向に付勢する。
【００４０】
また、前述の第２の実施形態では有底凹部１２６を設けた場合について説明したが、この有底凹部１２６の代わりに、図６に示す形状の切欠を設けてもよい。図６は、逃げ部の変形例を示す平面図である。この切欠１６６は、フレーム１５２とロータリーシャッタ１０７（図６では省略されている）との間に臨むように形成されている。そして、この切欠１６６には、切欠１６６内の内壁１６６ａから一体にフレーム１５２の板厚内に突出する係止突起（第１係止部）１６７が形成されている。前述の引っ張りコイルばね１１４は、この係止突起１６７に係止される。他の部分の構成はディスクカートリッジ１００と同じなので詳細な説明は省略する。このような切欠は、第１の実施形態のディスクカートリッジ１に設けてもよいことはもちろんである。
【００４１】
以上、本発明の好ましい実施形態について詳細に説明したが、各シャッタ部材から一体に形成される係止部は、適宜その形状を変更してもよいことは勿論である。例えば、コイルばねを引っ掛けるＬ字状のブラケットのような形状でもよいし、単に突片でもよい。また、フレーム１０２の柱状部１２８は、有底凹部１２８からフレーム１０２の主面１０２ａを超えて突出してもよい。また、前述した逃げ部６６、１２６、１６６はシェル半体によって覆われていることが好ましい。
【図面の簡単な説明】
【００４２】
【図１】本発明の第１の実施形態によるディスクカートリッジの平面図であり、ガイドワイヤの端部をフレームに取付けた状態を示す。
【図２】図１のディスクカートリッジにおいて、ガイドワイヤに圧縮コイルばねを装着した状態を示す平面図
【図３】本発明の第２の実施形態のディスクカートリッジを上シャッタ部材を除いた状態で示し、図３（ａ）は平面図、図３（ｂ）は、図３（ａ）の部分拡大斜視図
【図４】引っ張りコイルばねを装着した状態の図３に示すディスクカートリッジであり、図４（ａ）は平面図、図４（ｂ）は治具により引っ張りコイルばねを係止部に取付ける状態を示す部分拡大斜視図
【図５】図４のディスクカートリッジのロータリーシャッタを開状態にしたときの平面図
【図６】逃げ部の変形例を示す平面図
【図７】公知のディスクカートリッジのロータリーシャッタが閉状態にあるときのディスクカートリッジを示し、（ａ）は平面図、（ｂ）は右側面図、（ｃ）は底面図をそれぞれ示す。
【図８】図７に示す公知のディスクカートリッジの分解斜視図
【図９】図８に示すフレームの拡大平面図
【図１０】ディスクカートリッジが挿入される相手方のドライブ装置の要部を示す平面図
【符号の説明】
【００４３】
５    ディスク
６    開口
１４    圧縮コイルばね（ばね部材）
２０    ドライブ装置
２７    記録再生ヘッド
５０、１００    ディスクカートリッジ
５２、１０２、１５２    フレーム
５２ｂ、１２８、１６７    第１係止部
５４    下シェル半体
５７、１０７    ロータリーシャッタ
５７ｄ、１１６    第２係止部
５８、５８ｄ、１０８、１０８ｄ    外周壁
６６、１２６    有底凹部（逃げ部）
１１４    引っ張りコイルばね（ばね部材）
１３０    治具
１６６    切欠（逃げ部）
【図１】
2005267711.tif 000003
【図２】
2005267711.tif 000004
【図３】
2005267711.tif 000005
【図４】
2005267711.tif 000006
【図５】
2005267711.tif 000007
【図６】
2005267711.tif 000008
【図７】
2005267711.tif 000009
【図８】
2005267711.tif 000010
【図９】
2005267711.tif 000011
【図１０】
2005267711.tif 000012